(57)【要約】【課題】  簡単な構造で形成できる支持具を得ることを目的とする。【解決手段】  水平保持される支持部材３と、支持部材３と着脱可能な係止部材６と、この係止部材６を支持部材３に装着したときほぼ水平の姿勢となり係止部材６に固着され荷重を支持する受け部材８とを備え、支持部材３は上端に上方に開口する断面コ字状で軸方向に延在する溝４が形成され、係止部材６は、溝４の底面４ａと当接可能な第１の接面部６ａと溝４の一方の側面４ｂと当接可能な第２の接面部６ｂとを有する溝挿入部６０と、この溝挿入部６０に連なって一体に形成され、溝４の一方の側面４ｂと連なり支持部材３の周方向所定長に亘る外周面３ａと当接可能な第３の接面部６ｃを有する外周部６１とからなり、受け部材８は、一端８ａが係止部材６の外周部６１に固着されている。【選択図】        図２
2005040411.tif 000002
【特許請求の範囲】
【請求項１】
軸がほぼ水平の姿勢に保持される柱状の支持部材と、その軸方向寸法が上記支持部材のそれより短く上記支持部材と着脱可能な係止部材と、この係止部材を上記支持部材に装着したときほぼ水平の姿勢となるよう上記係止部材に固着され荷重を支持する棒状の受け部材とを備えた支持具であって、
上記支持部材には、上端に上方に開口する断面コ字状で上記軸方向に延在する溝が形成され、
上記係止部材は、上記溝の底面と当接可能な第１の接面部と上記溝の側面の一方と当接可能な第２の接面部とを有する溝挿入部と、この溝挿入部に連なって一体に形成され、上記溝の側面の一方と連なり上記支持部材の周方向所定長に亘る外周面と当接可能な第３の接面部を有する外周部とからなり、
上記受け部材は、一端が上記係止部材の外周部に固着されている
ことを特徴とする支持具。
【請求項２】
軸がほぼ水平の姿勢に保持される柱状の支持部材と、上記軸方向寸法が上記支持部材のそれより短く上記支持部材と着脱可能な第１および第２の係止部材と、この第１および第２の係止部材を上記支持部材に装着したときほぼ水平の姿勢となるよう上記第１および第２の係止部材のそれぞれに固着され荷重を支持する棒状の第１および第２の受け部材とを備えた支持具であって、
上記支持部材には、上端に上方に開口する断面コ字状で上記軸方向に延在する溝が形成され、
上記第１の係止部材は、上記溝の底面と当接可能な第１の接面部と上記溝の側面の一方と当接可能な第２の接面部とを有する第１の溝挿入部と、この第１の溝挿入部に連なって一体に形成され、上記溝の側面の一方と連なり上記支持部材の周方向所定長に亘る外周面と当接可能な第３の接面部を有する第１の外周部とからなり、
上記第２の係止部材は、上記溝の底面と当接可能な第４の接面部と上記溝の側面の他方と当接可能な第５の接面部とを有し、上記第１の溝挿入部と互いに当接して上記溝に装着可能に構成された第２の溝挿入部と、この第２の溝挿入部に連なって一体に形成され、上記溝の側面の他方と連なり上記支持部材の周方向所定長に亘る外周面と当接可能な第６の接面部を有する第２の外周部とからなり、
上記第１の受け部材は、一端が上記第１の係止部材の第１の外周部に固着され、
上記第２の受け部材は、一端が上記第２の係止部材の第２の外周部に固着されている
ことを特徴とする支持具。
【請求項３】
上記第１および第２の溝挿入部の上記溝内挿入部分に、その溝幅方向の厚みが上記軸方向に沿って所定の勾配で一方が増大、他方が減少するよう、テーパを形成したことを特徴とする請求項２記載の支持具。
【請求項４】
上記第１および第２の係止部材は、上記支持部材の軸を含む垂直面に対して対称の形状としたことを特徴とする請求項２記載の支持具。
【請求項５】
上記支持部材は、その断面の周縁が上記溝部分を除いて円形であることを特徴とする請求項１ないし４のいずれかに記載の支持具。
【請求項６】
上記係止部材を上記支持部材に装着したとき、上記外周部の端面が、上記支持部材の軸を含む垂直面上に存在するようにしたことを特徴とする請求項１ないし５のいずれかに記載の支持具。
【発明の詳細な説明】
【技術分野】
【０００１】
本発明は、例えばハンガーなどを支持することができる支持具に関し、特にハンガーなどの設置場所を容易に変更することができるものである。
【背景技術】
【０００２】
従来の陳列器具は、アーム台を有する柱において、アームがアーム台に支持され、水平軸のまわりに回動可能に取り付けられ、横方向にのびる。さらに、機械的ロック機構がそれと組み合わされ、アームが回動しないようロックされる。機械的ロック機構によってそのロック作用を解除することもできる。
【０００３】
【特許文献１】特開平１１−３４６８８４号公報
【発明の開示】
【発明が解決しようとする課題】
【０００４】
従来の支持具は複雑な構造、例えば機械的ロック機構を有しているためコストが高く成り、かつ、複雑な構造となるため故障が発生する可能性があるという問題点があった。
【０００５】
この発明は上記のような問題点を解決するためになされたもので、簡単な構造で、低コストにて作成することができる支持具を得るものである。
【課題を解決するための手段】
【０００６】
本発明は、軸がほぼ水平の姿勢に保持される柱状の支持部材と、その軸方向寸法が支持部材のそれより短く支持部材と着脱可能な係止部材と、この係止部材を支持部材に装着したときほぼ水平の姿勢となるよう係止部材に固着され荷重を支持する棒状の受け部材とを備えた支持具であって、
支持部材には、上端に上方に開口する断面コ字状で軸方向に延在する溝が形成され、
係止部材は、溝の底面と当接可能な第１の接面部と溝の側面の一方と当接可能な第２の接面部とを有する溝挿入部と、この溝挿入部に連なって一体に形成され、溝の側面の一方と連なり支持部材の周方向所定長に亘る外周面と当接可能な第３の接面部を有する外周部とからなり、
受け部材は、一端が係止部材の外周部に固着されているものである。
【発明の効果】
【０００７】
本発明の支持具は、軸がほぼ水平の姿勢に保持される柱状の支持部材と、その軸方向寸法が支持部材のそれより短く支持部材と着脱可能な係止部材と、この係止部材を支持部材に装着したときほぼ水平の姿勢となるよう係止部材に固着され荷重を支持する棒状の受け部材とを備えた支持具であって、
支持部材には、上端に上方に開口する断面コ字状で軸方向に延在する溝が形成され、
係止部材は、溝の底面と当接可能な第１の接面部と溝の側面の一方と当接可能な第２の接面部とを有する溝挿入部と、この溝挿入部に連なって一体に形成され、溝の側面の一方と連なり支持部材の周方向所定長に亘る外周面と当接可能な第３の接面部を有する外周部とからなり、
受け部材は、一端が係止部材の外周部に固着されているものでり、簡単な構成で容易に係止部材の位置を変更することができる。
【発明を実施するための最良の形態】
【０００８】
実施の形態１．
図１は、本発明の実施の形態１の支持具の構成を示す斜視図、図２は図１に示した支持具の詳細な構成を説明するための側面図、図３は図１に示した支持具の構成を示す上面図である。図において、壁面１に固着されている支え具２により壁面１から一定距離隔てて軸がほぼ水平の姿勢となるように保持されている円柱状の支持部材３を備える。この支持部材３は図２（ａ）の側面図に示すように、上端に上方に開口する断面コ字状で軸方向に延在する溝４が形成されており、溝４には底面４ａ、一方の側面４ｂ、他方の側面４ｃが形成される。そしてパイプ状にて成り断面の周縁が溝４部分を除いて円形の外周面３ａを有する。
【０００９】
さらに、この支持部材３より軸方向寸法が短く支持部材３に着脱可能な第１および第２の係止部材６、７を備えている。この第１の係止部材６は図２（ｂ）、（ｄ）の側面図に示すように、溝４の底面４ａと当接可能な第１の接面部６ａと、溝４の一方の側面４ｂと当接可能な第２の接面部６ｂとを有する第１の溝挿入部６０と、この第１の溝挿入部６０に連なって一体に形成され、溝４の一方の側面４ｂと連なり支持部材３の周方向所定長に亘る外周面３ａと当接可能な第３の接面部６ｃを有する第１の外周部６１とから成る。そしてこの第１の外周部６１はその端面６ｄが、第１の係止部材６を支持部材３に装着したとき、支持部材３の軸を含む垂直面上に至るまで形成されている。
【００１０】
また、第２の係止部材７は図２（ｃ）、（ｄ）の側面図に示すように、溝４の底面４ａと当接可能な第４の接面部７ａと溝４の他方の側面４ｃと当接可能な第５の接面部７ｂとを有し、第１の溝挿入部６０と互いに当接して溝４に装着可能に構成された第２の溝挿入部７０と、この第２の溝挿入部７０に連なって一体に形成され、溝４の他方の側面４ｃと連なり支持部材３の周方向所定長に亘る外周面３ａと当接可能な第６の接面部７ｃを有する第２の外周部７１とから成る。そしてこの第２の外周部７１はその端面７ｄが、第２の係止部材７を支持部材３に装着したとき、支持部材３の軸を含む垂直面上に至るまで形成されている。また、ここでは第１および第２の係止部材６、７は（図３参照）、支持部材３の軸を含む垂直面に対して対称の形状にて形成されている。
【００１１】
さらにこの第１および第２の係止部材６、７には支持部材３に装着したときほぼ水平の姿勢となるよう第１および第２の係止部材６、７のそれぞれに固着され荷重ここでは例えばハンガー５を支持する棒状ここでは円柱状の第１および第２の受け部材８、９とを備える。そしてこの第１の受け部材８は、一端８ａが第１の係止部材６の第１の外周部６１に固着され、第２の受け部材９は、一端９ａが第２の係止部材７の第２の外周部７１に固着されている。
【００１２】
上記のように構成された支持具の設置方法について説明する。まず、第１および第２の係止部材６、７の第１および第２の溝挿入部６０、７０を支持部材３の溝４の異なる箇所から挿入する。その際、第１および第２の溝挿入部６０、７０は溝４の幅より小さく形成されているため、容易に溝４内に挿入することが可能であり、かつ、溝４の軸方向のいずれの位置からもその挿入が可能である。そして、異なる位置から挿入した第１および第２の溝挿入部６０、７０を溝４内の同じ位置まで移動させて設置する。すると図１、図２（ｄ）に示すように、溝４内にて第１および第２の溝挿入部６０、７０は互いに当接し密着して固定される。また、この際第１および第２の外周部６１、７１の端面６ｄ、７ｄ同士も当接して密着して固定されることとなる。また、位置を変更したい場合には逆の手順にて、第１および第２の溝挿入部６０、７０を離反させ、他の位置に移動した後、再び当接させるようにすればよい。
【００１３】
上記のように実施の形態１の支持具は構成されているため、支持部材の溝の形成されている箇所であればいずれの箇所であっても容易に第１および第２の係止部材６、７を装着することができる。また、この装着に対しては、工具などを必要としないため簡便に行うことができる。また、機械的な駆動機構を有していないため、故障の原因が極めて低く、低コストにて形成することができる。
【００１４】
また図１に示すように、支持部材３には複数の第１および第２の係止部材６、７が挿入可能である。またその各固定位置も、上記のように設置することができるため容易に変更することができる。
【００１５】
実施の形態２．
上記実施の形態１では第１および第２の係止部材６、７は、支持部材３の軸を含む垂直面に対して対称の形状にて形成する例を示したが、他の例として、例えば図４に示すようなものが考えられる。これは、第１および第２の溝挿入部６２、７２に、その溝４幅方向の厚みが軸方向に沿って所定の勾配で一方が増大、他方が減少するよう、テーパを形成したものである。
【００１６】
このように形成された場合の設置方法は、上記実施の形態１と同様に、第１および第２の係止部材６、７の第１および第２の溝挿入部６２、７２を支持部材３の溝４の異なる箇所から挿入する。その際、第１および第２の溝挿入部６２、７２はその最大幅が、溝４の幅より小さく形成されているため、容易に溝４内に挿入することが可能であり、かつ、溝４のいずれの位置からもその挿入が可能である。そして、異なる位置から挿入した第１および第２の溝挿入部６２、７２を溝４内の同じ位置まで移動させて設置する。すると図４に示すように、溝４内にて第１および第２の溝挿入部６２、７２は互いに当接して密着して固定される。さらにここでは、第１および第２の溝挿入部６２、７２がテーパにて形成されているため、第１および第２の溝挿入部６２、７２は互いにくさび状に当接されることとなり、より一層溝４内で強固に固定される。
【００１７】
また、上記各実施の形態では支持部材３を壁面１に軸がほぼ水平の姿勢に保持されるように設置する例を示したが、これに限られることはなく、例えば図５に示すように、天井から床に垂直に配置されている柱部１０に支持部材３を貫通するように配設し、その軸がほぼ水平の姿勢に保持されるようにしても、上記各実施の形態と同様に利用することができる。
【００１８】
実施の形態３．
上記実施の形態１、２では、第１および第２の係止部材の第１および第２の溝挿入部を互いに当接して溝に装着可能に構成する例を示したが、これに限られることはなく、いずれか一方の係止部材の溝挿入部のみを装着して使用する場合も考えられる。ここでは便宜上、上記実施の形態１の支持部材３および第１の係止部材６と同様のものを利用する場合について説明する。よって各図において上記実施の形態１と同様部分は同一符号を付して説明を省略する。
【００１９】
図６は本発明の実施の形態３の支持具の構成を示す斜視図、図７は図６に示した支持具の壁面への取り付けの詳細な構成を説明するための側面図である。まず、ここでは図７に示すように支持部材３が壁面１にほぼ水平の姿勢となるように金具２０を用いてビス止めされ保持されている。よって、支持部材３は壁面１に直接固着されているように見える。このように設置された支持部材３の溝４に第１の係止部材６の第１の溝挿入部６０を挿入して、第１の係止部材６を設置する。そしてその第１の係止部材６の第１の受け部材８にハンガー５などを支持して使用する。また、図６に示すように、支持部材３には複数の第１の係止部材６が挿入可能である。またその各固定位置も、上記のように設置することができるため容易に変更することができる。
【００２０】
実施の形態３の支持具は上記のように構成されているため、支持部材の溝の形成されている箇所であればいずれの箇所であっても容易に係止部材を装着することができる。また、この装着に対しては、工具などを必要としないため簡便に行うことができる。また、機械的な駆動機構を有していないため、故障の原因が極めて低く、低コストにて形成することができる。
【００２１】
また、上記実施の形態３では第１の溝挿入部の幅を溝の幅の半分にて形成する例を示したが、これに限られることはなく、例えば図８に示すように溝の幅の半分より大きく第１の溝挿入部６３を形成しても、その幅は溝４の幅より小さく形成されているため上記実施の形態３と同様に設置・移動などができることは言うまでもなく、溝４の底面４ａと第１の溝挿入部６３との当接面積が多くなるため、上記実施の形態３より一層固定が確実となる。
【００２２】
また、上記各実施の形態では、係止部材を支持部材に装着したとき、各外周部の端面が、支持部材の軸を含む垂直面上に存在する例を示したが、これに限られることはなく、例えば、図９に示すように、外周部の端面６ｅが支持部材の軸を含む垂直面上に至らない箇所までにて形成されていてもよい。
【００２３】
また、上記各実施の形態では第１の受け部材８にハンガー５を支持する例を示したが、これに限られることはなく、例えば、図１０に示すように受け部材８１を角柱にて形成し、それを所定の間隔を隔てて一対配置し、その一対の受け部材８１上にガラス板５０などを配設し、商品の展示などに利用することもできる。
【００２４】
尚、上記各実施の形態においては、支持部材をパイプ状にて形成する例を示したが、これに限られることはなく、例えば、中実の柱状にて形成してもよい。また、支持部材の外周は円形にて形成する例を示したが、これに限られることはなく、例えば、楕円形にて形成する例も考えられる。また、各受け部材は円柱状、角柱状にて形成する場合を示したが、これに限られることはなく、例えば、楕円柱状、板状、三角柱状、様々な形状をにて成る棒状のものなど様々な例が考えられる。
【図面の簡単な説明】
【００２５】
【図１】この発明の実施の形態１の支持具の設置例の構成を示す斜視図である。
【図２】図１に示した支持具の詳細な構成を説明するための側面図である。
【図３】図１に示した支持具の構成を示す上面図である。
【図４】この発明の実施の形態２の支持具の構成を示す上面図である。
【図５】この発明の実施の形態２の支持具の他の設置例の構成を示す斜視図である。
【図６】この発明の実施の形態３の支持具の設置例の構成を示す斜視図である。
【図７】図６に示した支持具の構成を示す側面図である。
【図８】この発明の実施の形態３の他の支持具の構成を示す上面図である。
【図９】この発明の実施の形態３の他の支持具の構成を示す上面図である。
【図１０】この発明の実施の形態３の支持具の設置例の構成を示す斜視図である。
【符号の説明】
【００２６】
３  支持部材、３ａ  外周面、４  溝、４ａ  底面、４ｂ  一方の側面、
４ｃ  他方の側面、５  ハンガー、６  第１の係止部材、６ａ  第１の接面部、
６ｂ  第２の接面部、６ｃ  第３の接面部、６ｄ  端面、７  第２の係止部材、
７ａ  第４の接面部、７ｂ  第５の接面部、７ｃ  第６の接面部、７ｄ  端面、
８  第１の受け部材、８ａ  一端、９  第２の受け部材、９ａ  一端、５０  ガラス板、６０，６２  第１の溝挿入部、６１  第１の外周部、７０，７２  第２の溝挿入部、
７１  第２の外周部、８１  受け部材。
【図１】
2005040411.tif 000003
【図２】
2005040411.tif 000004
【図３】
2005040411.tif 000005
【図４】
2005040411.tif 000006
【図５】
2005040411.tif 000007
【図６】
2005040411.tif 000008
【図７】
2005040411.tif 000009
【図８】
2005040411.tif 000010
【図９】
2005040411.tif 000011
【図１０】
2005040411.tif 000012